(57)【要約】【課題】たい焼きの趣向性を発揮できる、たい焼きの包装具を提供する。【解決手段】これは、例えばプチたい焼き１を包装するものであって、プチたい焼き１をじかに包む透明又は半透明のフィルム２と、フィルム２で包んだプチたい焼き１を１又は複数個集めて、その開口部３３から入れてさらに包む伸縮性の網袋３と、網袋３の開口部３３を固縛する麻縄３４とを備えたので、鮮魚である鯛を魚網で捕獲したところを模しており、これにより、プチたい焼きとしての趣向性を発揮することができる。【選択図】図２
0003201965.tif 000002
【実用新案登録請求の範囲】
【請求項１】
たい焼きを包装する包装具であって、
前記たい焼きをじかに包む透明又は半透明のシート状部材と、
前記シート状部材で包んだたい焼きを１又は複数個集めて、その開口部から入れてさらに包む伸縮性の網状部材と、
前記網状部材の開口部を固縛する縄状部材と
を備えたことを特徴とするたい焼きの包装具。
【請求項２】
前記縄状部材で開口部を固縛した網状部材を１又は複数個集めて、さらに梱包する箱状部材を備えたことを特徴とする請求項１記載のたい焼きの包装具。
【請求項３】
前記シート部材で包んだたい焼きは複数種類あって、
前記網状部材は、それらの中から選択された前記シート状部材で包んだたい焼きを、該網状部材の開口部から入れてさらに包むものであることを特徴とする請求項１又は２記載のたい焼きの包装具。
【請求項４】
前記たい焼きは、所定サイズよりも小さいプチたい焼きであることを特徴とする請求項１〜３のいずれか１項に記載のたい焼きの包装具。
【考案の詳細な説明】
【技術分野】
【０００１】
本考案は、たい焼きの包装具に関し、特に普通のたい焼きよりも小さいプチたい焼きの包装具に好適である。
【背景技術】
【０００２】
たい焼きは、人形焼の一種であるが、縁起が良く、高級魚である鯛の形を模している。普通のたい焼きは、その焼き型で決まるのであるが、一匹を食するだけで腹いっぱいになるような比較的大きなものが通常であった。
【０００３】
たい焼きを収納するための容器として、二重包装容器が開示されている（例えば特許文献１参照）。ここでは、（ａ）食品の外形形状に合わせて成型され食品が収容される食品収容凹部と食品収容凹部の周縁に延設される鍔部とを備えた収容部と、収容部に覆設される覆設部と、食品収容凹部に連通して鍔部及び／又は覆設部に形設され食品収容凹部を大気に開放する大気連通部と、を有する内側容器と、（ｂ）内側容器に外装され内部が減圧密封される外装袋体と、を備えている。
【０００４】
これにより、たい焼きのような柔らかい食品でも型崩れすることなく確実に収納することができ、食品の形状保持性に優れ、搬送時の食品の変形や潰れ等の発生を防止することができ、搬送性、取扱い性に優れ、長期間にわたって食品の品質を保持することができ、食品の品質保持性、流通性に優れていると、記載されている。
【０００５】
ところで、たい焼きは、店舗ごとに様々な形状寸法のものが作られている。特に、近年では、普通のたい焼きに比べて小さい、いわゆるプチたい焼き（ミニたい焼きともいう。）が出回っている。プチたい焼きは、小腹がすいたときなどに、適当数だけ食するものであって、これも店舗ごとに様々な形状寸法に作られている。
【０００６】
したがって、特許文献１のように、一定の形状寸法のたい焼きに合わせて作られた二重包装容器に、形状寸法が大きく異なるたい焼き（特にプチたい焼き）を収納したのでは、形状保持性等が悪くなってしまう。
【０００７】
その一方で、プチたい焼きを、そのまま紙袋に入れたのでは、内容物（あんこ）が滲み出てくるといった不具合がある。そこで、プチたい焼きを、合成樹脂製のフィルムで個別に包装し、所望数をまとめて紙袋に入れて販売しているのが実情である。
【考案の概要】
【考案が解決しようとする課題】
【０００８】
しかしながら、フィルムで個別に包装されたプチたい焼きを、所望数をまとめて紙袋に入れただけでは、縁起が良く、高級魚である鯛の形をわざわざ模している意味がなくなり、たい焼きとしての趣向性（面白味）が阻害される。この点については、特許文献１の二重包装容器に入れた場合も同様である。
【０００９】
本考案は上記事情に鑑みてなされたものであり、その目的とするところは、たい焼きの趣向性を発揮できる、たい焼きの包装具を提供することである。
【課題を解決するための手段】
【００１０】
本考案は、たい焼きを包装する包装具であって、前記たい焼きをじかに包む透明又は半透明のシート部材と、前記シート部材で包んだたい焼きを１又は複数個集めて、その開口部から入れてさらに包む伸縮性の網状部材と、前記網状部材の開口部を固縛する縄状部材とを備えたことを特徴とするものである。
【００１１】
本考案によれば、前記たい焼きをじかに包む透明又は半透明のシート状部材と、前記シート状部材で包んだたい焼きを１又は複数個集めて、その開口部から入れてさらに包む伸縮性の網状部材と、前記網状部材の開口部を固縛する縄状部材とを備えたので、鮮魚である鯛を魚網で捕獲したところを模しており、これにより、たい焼きとしての趣向性を発揮することができる。
【００１２】
請求項２記載の考案のように、前記縄状部材で開口部を固縛した網状部材を１又は複数個集めて、さらに梱包する箱状部材を備えることが好ましい。
【００１３】
請求項２記載の考案によれば、前記縄状部材で開口部を固縛した網状部材を１又は複数個集めて、さらに梱包する箱状部材を備えたので、捕獲した鯛を箱に入れて運搬するところを模しており、これにより、たい焼きとしての趣向性をさらに発揮することができる。
【００１４】
請求項３記載の考案のように、前記シート状部材で包んだたい焼きは複数種類あって、前記網状部材は、それらの中から選択された前記シート状部材で包んだたい焼きを、該網状部材の開口部から入れてさらに包むものであることが好ましい。
【００１５】
請求項３記載の考案によれば、前記シート状部材で包んだたい焼きは複数種類あって、前記網状部材は、それらの中から選択された前記シート状部材で包んだたい焼きを、該網状部材の開口部から入れてさらに包むものであるので、魚屋で鯛を選んで買う時のような消費者心理を利用して集客することができる。これにより、たい焼きとしての趣向性をさらに発揮することができる。
【００１６】
請求項４記載の考案のように、前記たい焼きは、所定サイズよりも小さいプチたい焼きであることが好ましい。
【００１７】
請求項４記載の考案によれば、前記たい焼きは、所定サイズよりも小さいプチたい焼きであるので、いかにも大漁であるとの、プチたい焼きとしてならではの趣向性を発揮することができる。
【考案の効果】
【００１８】
本考案によれば、前記たい焼きをじかに包む透明又は半透明のシート状部材と、前記シート状部材で包んだたい焼きを１又は複数個集めて、その開口部から入れてさらに包む伸縮性の網状部材と、前記網状部材の開口部を固縛する縄状部材とを備えたので、鮮魚である鯛を魚網で捕獲したところを模しており、これにより、たい焼きとしての趣向性を発揮することができる。
【図面の簡単な説明】
【００１９】
【図１】本考案の一実施形態に係るプチたい焼きを透明又は半透明のフィルムで包んだものを示す概念図である。
【図２】プチたい焼きを入れた網袋の概念図である。
【図３】網袋を入れた箱の概念図である。
【考案を実施するための形態】
【００２０】
図１は本考案の一実施形態に係るプチたい焼き１を透明又は半透明のフィルム２で包んだものを示す概念図、図２はプチたい焼き１を入れた網袋３の概念図、図３は網袋３を入れた発泡スチロール製の箱４の概念図である。
【００２１】
図１〜図３に示すように、本考案の一実施形態に係るプチたい焼き１の包装具には、プチたい焼き１をじかに包む透明又は半透明のフィルム（シート状部材に相当する。）２と、フィルム２で包んだプチたい焼き１をさらに包む伸縮性の網袋（網状部材に相当する。）３と、網袋３をさらに梱包する発泡スチロール製の箱（箱状部材に相当する。）４とを含む。
【００２２】
プチたい焼き１は、所定サイズ（長さ１３０ｍｍ程度×高さ８０ｍｍ程度）を有する普通のたい焼きよりも小さいもの（長さ５０ｍｍ程度×高さ３０ｍｍ程度）ではあるが、その普通のたい焼きのように、鯛をデフォルメした本体１１と、本体１１内に詰めた内容物１２とを備えてなっている。本体１１は、小麦粉・砂糖・重曹などから作った生地を焼き型に入れて焼いた、いわゆる「たい焼き」と、クロワッサン生地を焼き型に入れて焼いた「クロワッサンたい焼き」とがある。内容物１２は、あんこ、チョコレート、キャラメル、カスタードクリーム、プレーン、チーズ、マロン、いちごミルク（季節限定品である。）など様々なものがある。そして、本体１１と内容物１２との組み合わせにより、各種のプチたい焼きが店頭に用意されている。
【００２３】
フィルム２は、例えばビニールシートなどの合成樹脂製であって、それで包んだときの中身であるプチたい焼き１が外部から見えるように、透明又は半透明のものが用意される。なお、半透明の場合は、白、黄、赤、・・・と色彩を付してよい。いずれも任意に選択できる。
【００２４】
網袋３は、例えば合成樹脂製の本体３１と閉止部３２と開口部３３とを備えている。本体３１は伸縮自在の円筒形ネットであり、閉止部３２は本体３１の一端側をカットして溶着処理したものであり、開口部３３は本体３１の他端側をカットして開閉自在となるようにしたものである。網袋３は、それで包んだときの中身であるプチたい焼き１が引き立つように、例えば白色である。麻縄３４は、開口部３３から本体３１内に、個々にフィルム２で包んだプチたい焼き１を１又は複数個入れてから、その開口部３３を開閉自在に縛るものであって、ラベル３５は、製造元や内容などを表示するものである。
【００２５】
箱４は、フィルム２で包んだプチたい焼き１を、網袋３に入れたものを、運搬するためのものであって、例えば発泡スチロール製の本体４１と蓋４２とを備えている。本体４１は天上部が大きく開放された直方体状の筐体であり、蓋４２は本体４１の開放部分を閉じるものである。ラベル４３は、これも製造元や内容などを表示するものである。
【００２６】
以下、販売以後の取り扱い例について概略説明する。
【００２７】
プチたい焼き１は、その本体１１と内容物１２との組み合わせにより、各種のものが店頭に用意されており、いずれも透明又は半透明のフィルム２に個別に包まれているものとする。顧客は、それらの中から任意のものを選択することができる。この選択されたプチたい焼き１を、網袋３の開口部３３から入れてから、その開口部３３を麻縄３４で縛って閉じる。そして、網袋３に入れたプチたい焼き１は、さらに発泡スチロール製の箱４に梱包される。
【００２８】
例えばプチたい焼き１は全８種類であり、各種５匹ずつの合計４０匹、或いは、合計５０匹の漁網大漁箱入りセットとして販売される。クリームを詰めた「プチクリームたい焼き」や、クロワッサン生地を用いた「プチくろわっさんたい焼き」についても同様である。
【００２９】
プチたい焼き１の賞味期限は、例えば常温で保管していたものでは１日程度、冷蔵庫に保管していたものでは３日間程度、冷凍庫で保管していたものでは１ケ月程度であるが、このうち常温・冷蔵庫で保管していたものは、オーブントースターで所定時間焼くか、或いは、レンジで温めるだけで食することができる。冷凍庫で保管していたものは、レンジで所定時間温めてから、オーブントースターで所定時間焼くか、或いは、レンジでさらに温めて食することができる。
【００３０】
したがって、発泡スチロール製の箱４から取り出された、網袋３入りのプチたい焼き１は、常温、冷蔵庫、冷凍庫のいずれかで保管されるが、最終的には、麻縄３４を解いて開口部３３を開放した網袋３から、個別にフィルム２に包装された状態で取り出される。そして、各々のプチたい焼き１のフィルム２を剥がしてから、あるいは、各々のプチたい焼き１をフィルム２に包んだまま、皿などに盛り付けられて、前記保管形態に応じた調理がなされ、賞味期間内に食されることになる。
【００３１】
以上説明したように、本実施形態によれば、プチたい焼き１をじかに包む透明又は半透明のフィルム２と、フィルム２で包んだプチたい焼き１を１又は複数個集めて、その開口部３３から入れてさらに包む伸縮性の網袋３と、網袋３の開口部３３を固縛する麻縄３４とを備えたので、鮮魚である鯛を魚網で捕獲したところを模しており、これにより、プチたい焼きとしての趣向性を発揮することができる。
【００３２】
また、麻縄３４で開口部３３を固縛した網袋３を１又は複数個集めて、さらに梱包する発泡スチロール製の箱４を備えたので、捕獲した鯛を箱に入れて運搬するところを模しており、これにより、プチたい焼き１としての趣向性をさらに発揮することができる。
【００３３】
また、網袋３は、複数種類用意された中から選択されたプチたい焼き１を、その開口部３３から入れてさらに包むものであるので、魚屋で鯛を選んで買う時のような消費者心理を利用して集客することができる。これにより、プチたい焼き１としての趣向性をさらに発揮することができる。
【００３４】
なお、上記実施形態では、プチたい焼き１は、すべてフィルム２に包んだものを、さらに網袋３に入れているが、そのうちの一部を紙袋に包んでおき、それらを発泡スチロール製の箱４に梱包することとしてもよい。その場合、フィルム２は、必ずしも透明又は半透明のものとする必要性はなく、不透明のものであってもよい。
【００３５】
また、上記実施形態では、プチたい焼き１は、全８種類から選択することとしているが、より少ない種類から選択できるようにしてもよいし、その逆に、より多くの種類から選択できるようにしてもよい。
【００３６】
また、上記実施形態では、たい焼きとして、プチたい焼き１を例示しているが、本発明の応用範囲はさらに広く、例えば普通のたい焼きにも適用可能であることはもちろんである。ただし、プチたい焼き１の場合は、網袋３に入る数量も多くなるから、いかにも大漁であるとの、プチたい焼きならではの趣向性を発揮できるのはいうまでもない。
【００３７】
また、上記実施形態では、シート部材として、合成樹脂製のフィルム２を例示し、網状部材として、合成樹脂製の網袋３を例示し、縄状部材として、麻縄３４を例示し、箱状部材として、発泡スチロール製の箱４を例示としているが、それらの機能を発揮しうる範囲であれば、他の材質や種類のものを採用してもよい。
【符号の説明】
【００３８】
１  プチたい焼き（たい焼きの一種である。）
１１  たい焼き本体
１２  あんこなど（内容物に相当する。）
２  フィルム（シート状部材に相当する。）
３  網袋（網状部材に相当する。）
３１  網袋本体
３２  閉塞部
３３  開口部
３４  麻縄（縄状部材に相当する。）
３５  ラベル
４  箱（箱状部材に相当する。）
４１  箱本体
４２  蓋
４３  ラベル
【先行技術文献】
【特許文献】
【００３９】
【特許文献１】実用新案登録第３１５７８２６号公報
【図１】
0003201965.tif 000003
【図２】
0003201965.tif 000004
【図３】
0003201965.tif 000005